(57)【要約】【課題】所用コストが安価でしかも騒音を発生させることのない固液分離装置を提供する。【解決手段】固液分離装置１０を、無端環状の細幅のスクリーンベルト１４を幅方向に隙間１６を隔てて複数連設して成り、隙間１６を通じて排水を通過させ固形分を濾過する濾過スクリーン１２と、スクリーンベルト１４に一体に設けられ、固形分を搬送する複数の突部３４とを含んで構成する。またそのスクリーンベルト１４として長ベルト１４Ａと短ベルト１４Ｂとを設けてそれらを交互にベルト幅方向に並べ、そして短ベルト１４Ｂについては一対の主プーリ１８，１８間に巻き掛ける一方、長ベルト１４Ａについてはそれら一対の主プーリ１８，１８と緩み防止用のアイドラプーリ２０とに巻き掛けておく。【選択図】        図１
2006198516.tif 000002
【特許請求の範囲】
【請求項１】
（イ）無端環状の細幅のスクリーンベルトを幅方向に隙間を隔てて複数連設して構成され、該隙間を通じて排水を通過させ固形分を濾過する濾過スクリーンと
（ロ）前記スクリーンベルトを回転駆動する駆動手段と
（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と
を有し、且つ前記スクリーンベルトとして長ベルトと短ベルトとを有していてそれらが交互にベルト幅方向に並べられ、該短ベルトが一対の主プーリ間に巻き掛けられる一方、該長ベルトがそれら一対の主プーリと緩み防止用の補助プーリとに巻き掛けられていることを特徴とする固液分離装置。
【請求項２】
請求項１において、前記長ベルトの長さが、搬送側において前記突部のそれぞれが設定された一定の配列状態を維持する長さに選定されていることを特徴とする固液分離装置。
【請求項３】
（イ）無端環状の細幅のスクリーンベルトを幅方向に隙間を隔てて複数連設して構成され、該隙間を通じて排水を通過させ固形分を濾過する濾過スクリーンと
（ロ）前記スクリーンベルトを回転駆動する駆動手段と
（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と
（ニ）固定状態に設けられ、前記スクリーンベルトの間の隙間に嵌入する、前記濾過スクリーンの幅方向に配列した複数の掃除用の櫛片と
を有していることを特徴とする固液分離装置。
【請求項４】
（イ）無端環状をなして回転移動する細幅のスクリーンベルトと、位置固定の細幅のスクリーンバーとをそれぞれ幅方向に交互に並べて成り、それらスクリーンベルトとスクリーンバーとの間の隙間を通じて排水を通過させ固形分を濾過する濾過スクリーンと
（ロ）前記スクリーンベルトを回転駆動する駆動手段と
（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と
を有していることを特徴とする固液分離装置。
【請求項５】
請求項１〜４の何れかにおいて、前記濾過スクリーンの搬送方向の後端部且つ上面から、固形分と排水とを含む被処理物の投入室を形成する縦の堰止壁が立ち上がっており、該堰止壁は下端部が上下に変位可能とされていて、該下端部を上下に変位させつつ前記突部が該堰止壁を乗り越えて搬送方向前方に進行するものとなしてあることを特徴とする固液分離装置。
【発明の詳細な説明】
【技術分野】
【０００１】
この発明は、例えばキッチンから排出された生ごみの破砕物と排水との分離用に用いて好適な固液分離装置、特にベルトスクリーン式の固液分離装置に関する。
【背景技術】
【０００２】
従来、排水から固形分を濾し取って固液分離する装置として図７に示すようなものが公知である。
図７において、２００は濾過により固液分離する濾過スクリーンで、固定状態に設けられた細幅の合成樹脂性のスクリーンバー２０２を、各スクリーンバー２０２の間に隙間を形成する状態で幅方向に複数連設して構成してある。
この濾過スクリーン２００は、スクリーンバー２０２と２０２との間の隙間を通じて排水を下方に通過させることで、固形分を濾過スクリーン２００上に濾し取って固液分離する。
【０００３】
この固液分離装置においては、スクリーンバー２０２と２０２との間の隙間に金属片（ステンレス片）から成る薄片状の突部２０４が嵌入されて、それらが濾過スクリーン２００の濾過面上に突出させられており、そしてそれら複数の突部２０４が一斉に図中右方向（上方向）に移動することで、濾過スクリーン２００の濾過面上の固形分を搬送して除去するようになっている。
ここで各突部２０４は、無端環状の搬送チェーンに固設されていて、搬送チェーンの回転移動によりそれぞれが同期して一斉に図中右方向に回転移動させられる。
また搬送チェーンは所定距離離隔して配設されたスプロケットに巻き掛けられ、そのスプロケットがモータにて回転駆動されることで無端環状に回転移動させられる。
この種固液分離装置は例えば下記特許文献１，特許文献２に開示されている。
【０００４】
この固液分離装置において、スクリーンバー２０２と２０２との間の隙間は１ｍｍにも満たない程度の狭いものであり、従って突部２０４もその隙間に対応した薄いものである。
従来の固液分離装置において、かかる突部２０４として金属製且つステンレス製のものを用いているのは、そのような薄い突部２０４に所用の強度を持たせ、またこれを錆びを発生させないものとする必要があるからである。
その結果として、従来の固液分離装置はそれら突部２０４に要するコストが高く、また突部２０４と複数のスクリーンバー２０２とが別々の部品となることから装置の所用部品点数が多くなり、加えて複数の突部２０４を回転移動させるためのチェーン駆動装置に要するコストも高く、全体としての装置の所用コストが高くなってしまう問題がある。
【０００５】
また複数の突部２０４を回転移動させるためのチェーン駆動装置が、駆動に際して騒音を発生するといった問題も生じていた。
その他この固液分離装置の場合、スクリーンバー２０２と２０２との間の狭い隙間を薄片状の突部２０４が走行し、それらスクリーンバー２０２に対して摺動運動することから、スクリーンバー２０２が次第に摩耗し、場合によって隙間が拡大するといった問題を生じていた。
【０００６】
【特許文献１】特公平５−５７３６６号公報
【特許文献２】特開２００４−３３９８３号公報
【発明の開示】
【発明が解決しようとする課題】
【０００７】
本発明は以上のような事情を背景とし、所用コストが安価でしかも騒音を発生させることの無い固液分離装置を提供することを目的としてなされたものである。
【課題を解決するための手段】
【０００８】
而して請求項１のものは、（イ）無端環状の細幅のスクリーンベルトを幅方向に隙間を隔てて複数連設して構成され、該隙間を通じて排水を通過させ固形分を濾過する濾過スクリーンと、（ロ）前記スクリーンベルトを回転駆動する駆動手段と、（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と、を有し、且つ前記スクリーンベルトとして長ベルトと短ベルトとを有していてそれらが交互にベルト幅方向に並べられ、該短ベルトが一対の主プーリ間に巻き掛けられる一方、該長ベルトがそれら一対の主プーリと緩み防止用の補助プーリとに巻き掛けられていることを特徴とする。
【０００９】
請求項２のものは、請求項１において、前記長ベルトの長さが、搬送側において前記突部のそれぞれが設定された一定の配列状態を維持する長さに選定されていることを特徴とする。
【００１０】
請求項３のものは、（イ）無端環状の細幅のスクリーンベルトを幅方向に隙間を隔てて複数連設して構成され、該隙間を通じて排水を通過させ固形分を濾過する濾過スクリーンと、（ロ）前記スクリーンベルトを回転駆動する駆動手段と、（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と、（ニ）固定状態に設けられ、前記スクリーンベルトの間の隙間に嵌入する、前記濾過スクリーンの幅方向に配列した複数の掃除用の櫛片と、を有していることを特徴とする。
【００１１】
請求項４のものは、（イ）無端環状をなして回転移動する細幅のスクリーンベルトと、位置固定の細幅のスクリーンバーとをそれぞれ幅方向に交互に並べて成り、それらスクリーンベルトとスクリーンバーとの間の隙間を通じて排水を通過させ固形分を濾過する濾過スクリーンと、（ロ）前記スクリーンベルトを回転駆動する駆動手段と、（ハ）該スクリーンベルトの搬送面上に突出する形態で該スクリーンベルトに一体に設けられ、固形分を該スクリーンベルトの回転移動に伴って搬送する、前記濾過スクリーンの幅方向に配列した複数の突部と、を有していることを特徴とする。
【００１２】
請求項５のものは、請求項１〜４の何れかにおいて、前記濾過スクリーンの搬送方向の後端部且つ上面から、固形分と排水とを含む被処理物の投入室を形成する縦の堰止壁が立ち上がっており、該堰止壁は下端部が上下に変位可能とされていて、該下端部を上下に変位させつつ前記突部が該堰止壁を乗り越えて搬送方向前方に進行するものとなしてあることを特徴とする。
【発明の作用・効果】
【００１３】
以上のように本発明は、無端環状の細幅のスクリーンベルトを幅方向に隙間を隔てて複数連設して、固形分を排水から濾過する濾過スクリーンを構成するとともに、そのスクリーンベルトの搬送面上に固形分をスクリーンベルトの回転移動に伴って搬送する突部をスクリーンベルトと一体に設けたもので、本発明によれば、突部がスクリーンベルトと一体の部品を成しているため、かかる突部が濾過スクリーンを構成する複数の細幅のスクリーン部材（スクリーンバー）と別体を成す従来の固液分離装置に比べて部品点数を少なくでき、しかも本発明の固液分離装置における突部は細幅のスクリーン部材とスクリーン部材との間の狭い隙間を走行するものではないため、かかる突部自体に要するコストも安価となすことができる。
【００１４】
更に加えて、本発明ではスクリーン部材としてベルトを用いており、かかるベルトはプーリに巻き掛けてプーリの回転により無端環状に回転移動させ得るため、スクリーンベルトの駆動装置に要するコストも安価となし得るのに加えて、プーリによる駆動ではチェーンによる駆動に比べて騒音も生じず、静粛に装置を稼動することができる利点が得られる。
【００１５】
ところで、従来の固液分離装置においてスクリーンバーとスクリーンバーとの間の隙間を走行する薄片状の突部は、同時にその隙間に固形分が詰って目詰まりを起すのを防止する掃除用の部材としての働きも備えている。
従ってこのような隙間を走行する突部が無いと、スクリーンベルトとスクリーンベルトとの間の隙間に固形分が入り込んで目詰まりを起す恐れが生ずる。
【００１６】
ここにおいて本発明では、スクリーンベルトとして長ベルトと短ベルトとを用いて、それらをベルト幅方向に交互に並べて濾過スクリーンを構成し、そして短ベルトについては一対の主プーリ間に巻き掛ける一方、長ベルトについてはそれら一対の主プーリと緩み防止用の補助プーリとに巻き掛けて装置を構成しており、このことによってスクリーンベルトとスクリーンベルトとの間の隙間に沿って掃除用の部材を走行させなくても、それらの間の隙間に目詰まりが生じるのを効果的に防止することができる。
【００１７】
詳しくは、長ベルトと短ベルトとは搬送方向前端のプーリを通過した時点で互いに離れ離れとなり、その時点で隣接する長ベルトと短ベルトとの間の隙間は強制的に大きく開かれることとなって、それら隣接する長ベルトと短ベルトとの間に固形分が挟まれていたとしても、そこで挟まれていた固形分が隙間から自動的に除去される。
その結果、本発明の固液分離装置ではスクリーンベルトとスクリーンベルトとの間の隙間を掃除する掃除用の部材を特に設けなくても自動的にベルト間の隙間が掃除されることとなり、長期に亘って隙間に目詰まりを起すことなく良好に固液分離作用をなすことができる。
【００１８】
また本発明の固液分離装置では、スクリーンベルトとスクリーンベルトとの間の狭い隙間を掃除用の部材が摺動する必要が無いため、その摺動によってスクリーンベルトが摩耗するといった問題を生じない特長を有する。
【００１９】
この場合において長ベルトの長さは、搬送側において突部のそれぞれが設定された一定の配列状態を維持する長さに選定しておくことができる（請求項２）。
ここで突部の配列は、搬送側においてそれぞれが濾過スクリーンの幅方向に一列を成す配列となしておくことができる。
このようにしておくことで、固形分を複数の突部が協働して効率的に搬送できる利点が得られる。
【００２０】
次に請求項３は、固定状態に設けられてスクリーンベルトの間の隙間に嵌入する掃除用の櫛片を濾過スクリーンの幅方向に配列したもので、この請求項３の固液分離装置では、スクリーンベルトを長ベルトと短ベルトとに分けなくても、その櫛片によってスクリーンベルトとスクリーンベルトとの間の狭い隙間を掃除し、隙間を常に目詰まりの無い状態に保持することができる。
【００２１】
次に請求項４は、細幅のスクリーンベルトと位置固定の細幅のスクリーンバーとをそれぞれ幅方向に交互に並べて、それらスクリーンベルトとスクリーンバーとから成る濾過スクリーンを構成したもので、この場合においても装置を安価に構成でき、また騒音も発生させず、しかも細幅のスクリーン部材を摩耗させてしまう問題も解決することができる。
【００２２】
次に請求項５は、濾過スクリーンの搬送方向の後端部且つ上面から、固形分と排水とを含む被処理物の投入室を形成する縦の堰止壁を立ち上げるとともに、その堰止壁の下端部を上下に変位可能となし、その下端部を上下に変位させつつ、スクリーンベルトに一体に設けた突部を、その堰止壁を乗り越えて搬送方向前方に進行させるようになしたものである。
【００２３】
本発明に従ってスクリーンベルトに突部を一体に設けて、これをスクリーンベルトとともに回転移動させるようになした場合、堰止壁が固定状態に設けられていると、かかる突部が返送側から搬送側に向かって搬送方向後端のプーリを通過して堰止壁を通過する際、かかる突部が堰止壁の下端に当ってこれを通過できなくなってしまう。
しかるにこの請求項５に従って堰止壁の下端部を上下に変位可能となしておくことで、投入室に収容された被処理物の固形分を堰止壁の下端部から漏らしてしまうことなく、突部が堰止壁の下端部を良好に乗り越えて前方に移動することが可能となる。
尚特にこの請求項５においては、突部を濾過スクリーンの幅方向に同じ高さで一列に配列しておくことが望ましい。
【発明を実施するための最良の形態】
【００２４】
次に本発明の実施形態を図面に基づいて詳しく説明する。
図１において、１０は本実施形態のベルトスクリーン式の固液分離装置で、１２はその主要素をなす濾過スクリーンである。
この濾過スクリーン１２は、細幅の可撓性の且つ無端環状をなすスクリーンベルト１４を、ベルト幅方向に隙間１６（図１の部分拡大図参照）を隔てて複数連設して構成してある。
この濾過スクリーン１２は、それらスクリーンベルト１４と１４との間の隙間１６を通じて排水を通過させ、固形分だけを濾し取って固液分離する。即ち固形分を排水から濾過する。
【００２５】
本実施形態においては、かかるスクリーンベルト１４として図２（Ｂ），（Ｃ）に示す長ベルト１４Ａと短ベルト１４Ｂとを用い、それらをベルト幅方向に交互に並べている。
而して短ベルト１４Ｂは、図１に示すように一対の主プーリ１８と１８との間に緊張状態で巻き掛けられており、また長ベルト１４Ａは、主プーリ１８とは別に設けられた緩み防止用のアイドラプーリ（補助プーリ）２０と一対の主プーリ１８，１８とにまたがって巻き掛けられている。
【００２６】
上記主プーリ１８には、図２（Ａ）に示しているようにスクリーンベルト１４の数に対応した環状の巻掛溝２４が設けられており、それぞれに各スクリーンベルト１４が巻き掛けられている。
この実施形態において、各スクリーンベルト１４は図２（Ｂ），（Ｃ）に示しているように内周面に噛合歯２６の設けられた歯付きベルト、即ちタイミングベルトとされている。
そしてこれに対応して、主プーリ１８の各巻掛溝２４の底面には対応した噛合歯２８が周方向に設けられており、スクリーンベルト１４の噛合歯２６と主プーリ１８の巻掛溝２４の底面の噛合歯２８とが互いに噛み合うようにされている。
即ち主プーリ１８もまた歯付きのタイミングプーリとして構成されている。
この結果、主プーリ１８の回転と各スクリーンベルト１４の回転とは同期し、従って各スクリーンベルト１４の回転移動もまた互いに同期したものとなる。
【００２７】
尚アイドラプーリ２０についても同様の噛合歯を有する歯付きのタイミングプーリとして構成しておくこともできる。
或いはまた場合によってそのような噛合歯を有しない通常のプーリとして構成しておくことも可能である。
【００２８】
図１に示しているように、濾過スクリーン１２は上下方向に斜めに傾斜した状態で設けられており、そして上端、即ちスクリーンベルト１４の搬送方向前端の主プーリ１８には、シャフト３２を介して駆動用のモータ３０が連結されており、かかるモータ３０による駆動力で各スクリーンベルト１４、即ち濾過スクリーン１２が全体的に回転移動するようになっている。
【００２９】
本実施形態では、各スクリーンベルト１４のそれぞれに、搬送面上に突出する形態で固形分を搬送する突部３４が一体に設けられ、それら突部３４がスクリーンベルト１４と一体に無端環状に回転移動するようになっている。
ここで各スクリーンベルト１４の突部３４は、搬送側において濾過スクリーン１２の幅方向に一列をなすように配列されている。
これら突部３４は、短ベルト１４Ｂについてはここでは合計４個設けられており、一方長ベルト１４Ａについては合計５個設けられている。
【００３０】
この実施形態では、各スクリーンベルト１４の突部３４は進行方向前端、即ち図中上端の主プーリ１８に到るまでは横一列を維持しながら上方に前進移動するが、主プーリ１８を通過した段階で短ベルト１４Ｂの突部３４はそのまま下端の主プーリ１８に向かって返送側を移動するが、長ベルト１４Ａの突部３４は主プーリ１８を通過したところで一旦アイドラプーリ２０側に向かって前進し、図中下端の主プーリ１８への戻りが短ベルト１４Ｂの突部３４に比べて遅くなる。
【００３１】
但し本実施形態の固液分離装置では、図中下端の主プーリ１８を通過した時点で、長ベルト１４Ａの１つ前の突部３４が、先に図中下端の主プーリ１８に戻った短ベルト１４Ｂの突部３４と一緒になり、従って図中下端の主プーリ１８を通過した段階で短ベルト１４Ｂの突部３４も長ベルト１４Ａの突部３４も横一列に配列した状態となる。
そのように長ベルト１４Ａの長さが予め選定されている。
詳しくは、ここでは長ベルト１４Ａの長さが短ベルト１４Ｂの長さに比べて、突部３４の１ピッチ分だけ長くされている。
【００３２】
この実施形態の固液分離装置１０では、生ごみの破砕物等の固形分と排水とを含む被処理物が、濾過スクリーン１２の下端部且つ上面に投入される。
投入された被処理物は、排水のみがスクリーンベルト１４と１４との間の隙間１６を通じて下方に落下し、固形分だけが各スクリーンベルト１４上に残る。即ち固形分が濾過スクリーン１２によって濾過される。
このようにして濾過された固形分は、各スクリーンベルト１４の上方への回転移動に伴って、それぞれに設けられた突部３４により上方に搬送され、そして図中上端の主プーリ１８を超えたところで下方の容器に落下せしめられる。
【００３３】
以上のような本実施形態の固液分離装置１０では、突部３４がスクリーンベルト１４と一体の部品を成しているため、図７に示す従来の固液分離装置、詳しくは突部２０４が濾過スクリーン２００を構成するスクリーンバー２０２と別体を成す従来の固液分離装置に比べて部品点数を少なくでき、しかも本実施形態における突部３４は細幅のスクリーンベルト１４と１４との間の狭い隙間１６を走行するものではないため、かかる突部３４自体に要するコストも安価となすことができる。
【００３４】
更に加えて本実施形態では、スクリーン部材としてベルト（スクリーンベルト１４）を用いており、かかるスクリーンベルト１４はプーリ１８，２０に巻き掛けてプーリ１８，２０の回転により無端環状に回転移動させているため、スクリーンベルト１４の駆動装置に要するコストも安価となし得るのに加えて、プーリ１８，２０による駆動ではチェーンによる駆動に比べて騒音も生じず、静粛に装置を稼動することができる。
【００３５】
また本実施形態においては、スクリーンベルト（スクリーン部材）１４として長ベルト１４Ａと短ベルト１４Ｂとを用いて、それらをベルト幅方向に交互に並べて濾過スクリーン１２を構成し、そして短ベルト１４Ｂについては一対の主プーリ１８，１８間に巻き掛ける一方、長ベルト１４Ａについてはそれら一対の主プーリ１８，１８と緩み防止用のアイドラプーリ２０とに巻き掛けて固液分離装置１０を構成しているため、スクリーンベルト１４と１４との間の隙間１６に掃除用の部材を走行させることなく、それらの間の隙間１６に目詰まりが生じるのを効果的に防止することができる。
【００３６】
詳しくは、長ベルト１４Ａと短ベルト１４Ｂとは搬送方向前端の主プーリ１８を通過した時点で互いに離れ離れとなり、その時点で隣接する長ベルト１４Ａと短ベルト１４Ｂとの間の隙間１６は強制的に大きく開かれることとなって、それら隣接する長ベルト１４Ａと短ベルト１４Ｂとの間に固形分が挟まれていたとしても、そこで挟まれていた固形分が隙間１６から自動的に除去される。
その結果、本実施形態の固液分離装置１０では、スクリーンベルト１４と１４との間の隙間１６を掃除する掃除用の部材を特に設けなくても良く、しかも長期に亘って隙間１６に目詰まりを起すことなく良好に固液分離作用をなすことができる。
【００３７】
また本実施形態の固液分離装置１０では、スクリーンベルト１４と１４との間の狭い隙間１６を掃除用の部材が摺動する必要が無いため、その摺動によってスクリーンベルト１４が摩耗するといった問題を生じない特長を有する。
【００３８】
更に本実施形態では、長ベルト１４Ａの長さを短ベルト１４Ｂよりも突部３４の１ピッチ分だけ長くしており、搬送側において突部３４のそれぞれが濾過スクリーン１２の幅方向に一列の配列を維持するようになしてあるため、固形分を複数の突部３４により協働して効率的に上方に搬送することができる。
【００３９】
次に図３は本発明の他の実施形態を示している。
この実施形態は、スクリーンベルト１４の全てを短ベルト１４Ｂにて構成するとともに、各スクリーンベルト１４と１４との間の隙間１６に対応した数の掃除用の櫛片３６を固定状態に設けた例である。
ここで櫛片３６のそれぞれは、隙間１６に嵌入する状態で各スクリーンベルト１４の搬送側とは反対側、即ち返送側に設けられている。
尚この櫛片３６の図中右の面は、隙間１６から除去した固形分を円滑に下方に落下させるための湾曲したガイド面とされている。
【００４０】
本実施形態によれば、スクリーンベルト１４を長ベルト１４Ａと短ベルト１４Ｂとに分けなくても、櫛片３６によってスクリーンベルト１４と１４との間の狭い隙間１６を掃除し、隙間１６を常に目詰まりの無い状態に保持することができる。
【００４１】
図４は本発明の更に他の実施形態を示している。
この例は、スクリーンベルト１４（短ベルト１４Ｂ）と、位置固定の細幅のスクリーンバー３８とをそれぞれ幅方向に交互に並べて濾過スクリーン１２を構成し、そして各スクリーンベルト１４のそれぞれに、上記と同様の突部３４を一体に設けた例である。
尚この実施形態において、主プーリ１８にはスクリーンベルト１４に対応した数の巻掛溝２４が形成されている。
本実施形態においても装置を安価に構成でき、また騒音も発生させず、しかもスクリーンベルト１４を摩耗させてしまう問題も解決することができる。
【００４２】
図５は本発明の更に他の実施形態を示している。
図において４０は濾過スクリーン１２の搬送方向の後端部且つ上面（搬送面）から上向きに立ち上がる堰止壁で、図中右側に固形分と排水とを含む被処理物を投入する投入室４２が形成されている。
固形分と排水とを含む被処理物は、投入口４３からこの投入室４２に投入され、そしてそのうちの排水が濾過スクリーン１２を通過して下方に落下し、固形分だけが濾し取られて突部３４により上方に搬送される。
【００４３】
この実施形態において、堰止壁４０は上部が固定壁４４、下部が可動壁４６として構成されており、かかる可動壁４６が固定壁４４に対して上下に移動可能とされている。
ここでは固定壁４４の凹部４８内に可動壁４６が出入可能とされている。
可動壁４６の下端部にはローラ５０が設けられており、このローラ５０が濾過スクリーン１２の上面即ち搬送面に回転可能に接触させられている。
【００４４】
この実施形態では、スクリーンベルト１４に一体に設けられた突部３４が搬送方向後端、即ち図中下端の主プーリ１８を通過した後、可動壁４６を押し上げながら可動壁４６を乗り越えて図中右側に進行する。
そして投入室４２内の固形分をかかる突部３４が上方に搬送する。
従って投入室４２内の被処理物中の固形分は、堰止壁４０から下方に漏れてしまうことはない。
【００４５】
尚この実施形態では、細幅のスクリーン部材を全てスクリーンベルト１４にて構成し、且つ突部３４を同じ高さで横一列に配列しておくことが望ましい。
また可動壁４６は、自重で上下に変位するものとなしておくこともできるし、或いはまたこれをばねにて下向きに付勢しておくこともできる。
【００４６】
図６は本発明の更に他の実施形態を示したもので、この実施形態は、可動壁４６を固定壁４４から横方向に延び出させ、そしてその付根の軸５２周りに可動壁４６全体を回動させるようになした例である。
【００４７】
以上本発明の実施形態を詳述したがこれらはあくまで一例示であり、本発明はその趣旨を逸脱しない範囲において種々変更を加えた形態で構成可能である。
【図面の簡単な説明】
【００４８】
【図１】本発明の一実施形態である固液分離装置を示す図である。
【図２】図１のプーリ及びスクリーンベルトをそれぞれ単体で示す図である。
【図３】本発明の他の実施形態を示す図である。
【図４】本発明の更に他の実施形態を示す図である。
【図５】本発明の更に他の実施形態を示す図である。
【図６】本発明の更に他の実施形態を示す図である。
【図７】従来の固液分離装置の一例を示す図である。
【符号の説明】
【００４９】
１０  固液分離装置
１２  濾過スクリーン
１４  スクリーンベルト
１４Ａ  長ベルト
１４Ｂ  短ベルト
１６  隙間
１８  主プーリ
２０  アイドラプーリ（補助プーリ）
３０  モータ
３４  突部
３６  櫛片
３８  スクリーンバー
４０  堰止壁
４２  投入室
４６  可動壁
【図１】
2006198516.tif 000003
【図２】
2006198516.tif 000004
【図３】
2006198516.tif 000005
【図４】
2006198516.tif 000006
【図５】
2006198516.tif 000007
【図６】
2006198516.tif 000008
【図７】
2006198516.tif 000009